(57)【要約】      （修正有）【課題】軽量でコンパクトな状態で保管でき、使用時には自律膨張し速やかに所定の形状となり、繰り返し使用できる新規な浮力体とこれを用いた救命具を提供する。【解決手段】軟弾性の発泡体２と、空気の取込口及び排気口となる開閉部３１を有し発泡体を収納する防水性の外装袋体３と、を備えた浮力体１であって、発泡体は、開閉部３１を開とした状態で、外装袋体内の空気を開閉部から排気させながら一端部１ａより圧縮して巻き込むことによって巻装体とされ、巻装体は、拘束部材によって巻装状態に拘束維持され、拘束部材による拘束を解除すると、巻装体は発泡体２の復元弾力により自律して膨張して元の形状に復帰する。【選択図】図１
0003201727.tif 000002
【実用新案登録請求の範囲】
【請求項１】
軟弾性の発泡体と、空気の取込口及び排気口となる開閉部を有し該発泡体を収納する防水性の外装袋体と、を備えた浮力体であって、
前記発泡体は、前記開閉部を開とした状態で、前記外装袋体内の空気を前記開閉部から排気させながら一端部より圧縮して巻き込むことによって巻装体とされ、
前記巻装体は、拘束部材によって巻装状態に拘束維持され、前記拘束部材による拘束を解除すると、前記発泡体の復元弾力により自律して膨張して元の形状に復帰することを特徴とする浮力体。
【請求項２】
請求項１に記載の浮力体において、
前記発泡体は、シート状体からなることを特徴とする浮力体。
【請求項３】
請求項２に記載の浮力体において、
前記発泡体は、表裏に貫通する多数の透孔を有していることを特徴とする浮力体。
【請求項４】
請求項１に記載の浮力体において、
前記発泡体は、棒状体からなることを特徴とする浮力体。
【請求項５】
請求項１に記載の浮力体において、
前記発泡体は、複数のブロック体からなることを特徴とする浮力体。
【請求項６】
請求項１〜請求項５のいずれか一項に記載の浮力体において、
前記拘束部材は、前記巻装体とほぼ同寸に形成された筒状保管袋からなり、前記巻装体は当該保管袋に挿入された状態で前記巻装状態の拘束維持がなされるように構成されていることを特徴とする浮力体。
【請求項７】
請求項１〜請求項５のいずれか一項に記載の浮力体において、
前記拘束部材は、タイベルトからなり、前記巻装体は当該タイベルトによって周体が締付けられた状態で前記巻装状態の拘束維持がなされるように構成されていることを特徴とする浮力体。
【請求項８】
請求項１〜請求項７のいずれか一項に記載の浮力体において、
前記外装袋体には、前記開閉部とは別に、空気補給用の給気部が設けられていることを特徴とする浮力体。
【請求項９】
請求項１〜請求項８のいずれか一項に記載の浮力体を用いて構成されたことを特徴とする救命具。
【考案の詳細な説明】
【技術分野】
【０００１】
本考案は、使用時に自律して膨張する浮力体とこれを用いた救命具に関する。
【背景技術】
【０００２】
従来の気体が充満された浮力体（浮き袋）は、海や川などで遊泳の補助具として使用される他、これを救命胴衣とした場合は、身に着けることによって身体に浮力が付与され、水中で身体を浮いた状態にすることができる。このような浮力体は、常時は、気体を充満させない状態で、折り畳み或いは巻装するなどしてコンパクトな状態にして保管される。そして、使用時には、保管状態を解き、給排気口から、手動式ポンプで浮力体内に空気を供給するか、或いは、人間の口から浮力体内に空気を吹き込むことによって、浮力体に空気を充満させることで膨張するように構成されている（例えば、特許文献１及び特許文献２参照）。また、炭酸ガスボンベ等を付帯させ、その都度炭酸ガスボンベから炭酸ガスを浮力体内に供給するガス膨張式を採用したものもある。
【先行技術文献】
【特許文献】
【０００３】
【特許文献１】特開平１０−３２９７９０号公報
【特許文献２】特開２０１１−２０１５２３号公報
【考案の概要】
【考案が解決しようとする課題】
【０００４】
前記のような公知の浮力体の場合、使用時に浮力体内に人為的に空気や炭酸ガス等の気体を供給して充満させる操作が必要とされる。よって、煩わしさを伴う上に、非常時においては、時間が足りず浮力体内に空気が充満されない状態でやむなく使用されてしまう懸念がある。またガス膨張式の場合は使用時に膨張のさせ方がわからなかったり、ボンベ等の付属品があるため、軽量化が難しいといった難点がある。さらにガス膨張式の場合は、ガスボンベの交換の他、定期的に機械稼働部やセンサ等の点検、メンテナンスが必要であり、そのまま繰り返し再使用できないというデメリットもある。
【０００５】
ところで、このような浮力体や救命胴衣は一般に知られているものの、例年夏場になると水難事故のニュースをよく耳にする。震災では、津波で多くの人が亡くなったことは記憶に新しい。また救助する側が水に流されて命を落とすニュースやゲリラ豪雨により川が氾濫するニュースもある。国土交通省海事局による統計では、救命胴衣を着用して落水した場合は、未着用の場合と比べて生存率が３倍高く、逆に未着用の場合の死亡率は救命胴衣を着用した場合に比べて５倍も高いという結果が発表されている。浮力体の利用率、救命具の着用率の向上を急ぐべき現状にあるといえる。
【０００６】
本考案は、上記実情に鑑みなされたもので、軽量でコンパクトな状態で保管でき、使用時には自律膨張し速やかに所定の形状となり、繰り返し使用できる新規な浮力体とこれを用いた救命具を提供することを目的としている。
【課題を解決するための手段】
【０００７】
本考案に係る浮力体は、軟弾性の発泡体と、空気の取込口及び排気口となる開閉部を有し該発泡体を収納する防水性の外装袋体と、を備えた浮力体であって、前記発泡体は、前記開閉部を開とした状態で、前記外装袋体内の空気を前記開閉部から排気させながら一端部より圧縮して巻き込むことによって巻装体とされ、前記巻装体は、拘束部材によって巻装状態に拘束維持され、前記拘束部材による拘束を解除すると、前記巻装体が前記発泡体の復元弾力により自律して膨張して元の形状に復帰することを特徴とする。
本考案によれば、発泡体は軟弾性であるから、外装袋体とともに一端部より圧縮させながら容易に巻き込むことができる。このとき、軟弾性の発泡体は、巻き込む際に開閉部より空気が排出されながら嵩低い巻装体とすることができる。従って、この巻装体を、拘束部材によって巻装状態に拘束維持するようにすれば、全体がコンパクトで軽量であるから保管性及び可搬性に優れたものとなる。また、拘束部材による拘束を解除すると、発泡体がその復元弾力によりもとの形状に復帰し、これによって外装袋体の空間部分も膨張する。この外装袋体の空間部分の膨張に伴い、前記開閉部を通じて、外部より外装袋体内への給気が自動的になされる。そして、開閉部を閉とすれば、外装袋体が弾性復元した発泡体を気密的に収納した状態に維持される。このように、使用時には自動的に給気して自律的に膨張し速やかに所定の形状となるから、例えば救命胴衣等の救命具に適用すれば、非常時等にも迅速に対応でき極めて有益である。しかも、発泡体は多くの気泡を含むから、気密的な外装袋体内には多くの空間部分が含まれ、発泡体自体が軽量であることとも相俟って、浮力の大きいものとすることができる。使用後は、再び開閉部を開として圧縮させながら巻装し拘束部材によって前記のように巻装体にすることができ、また拘束部材による拘束を解除すると、前記巻装体が復元弾力により元の形状に復帰し、自律して膨張するので、何度でも繰り返し再使用することができる。さらにこのとき、ガス膨張式のもののようにガスボンベの交換は不要であるし、センサ等電気制御されるものでもないので、点検、メンテナンスが不要であり、繰り返し使用できる。
【０００８】
本考案の浮力体において、前記発泡体は、シート状体からなるものとしても良い。
これによれば、発泡体の一端部からの巻装がし易く、また、救命胴衣への適用もし易くなる。
この場合、前記発泡体は、表裏に貫通する多数の透孔を有しているものとしても良い。
これによれば、シート状体の発泡体を外装袋体とともに圧縮させながら巻き込むと、透孔に相当する空間部の空気も排出された状態で圧縮されるから、一層嵩低い巻装体とすることができる。
【０００９】
本考案の浮力体において、前記発泡体は、棒状体もしくは複数のブロック体からなるものとしても良い。
これによれば、簡易な構造の救命具への適用が容易になし得る。
【００１０】
本考案の浮力体において、前記拘束部材は、前記巻装体とほぼ同寸に形成された筒状保管袋からなり、前記巻装体は当該保管袋に挿入された状態で前記巻装状態の拘束維持がなされるように構成されているものとしても良い。
これによれば、保管袋が巻装体とほぼ同寸に形成されているから、保管袋に巻装体を挿入した状態では前記巻装状態に維持される。そして、巻装体を保管袋から取り出すと前記巻装状態の拘束が解除されるから、この拘束の解除と前記開閉部が開状態になっていることにより、自動的に給気され、前記自律的膨張が速やかになされる。
【００１１】
本考案の浮力体において、前記拘束部材は、タイベルトからなり、前記巻装体は当該タイベルトによって周体が締付けられた状態で前記巻装状態の拘束維持がなされるように構成されているものとしても良い。
これによれば、タイベルトによる締め付けによって、巻装体が巻装状態に維持される。そして、タイベルトによる締め付けを解除すると前記巻装状態の拘束が解除される。この拘束の解除と前記開閉部の開状態とにより、自動的に給気され、前記自律的膨張が速やかになされる。
【００１２】
本考案の浮力体において、前記外装袋体には、前記開閉部とは別に、空気補給用の給気部が設けられているものとしても良い。
これによれば、前記のように自動的給気がなされた後、外装袋体内の空気の充満量が充分でない場合、空気補給用の給気部から外装袋体内へ空気の補給を手動で簡易に行うことができる。
【００１３】
本考案に係る救命具は、前記いずれかの浮力体を用いて構成されたことを特徴とする。
本考案の救命具によれば、軽量であり、且つ、通常は極めて嵩低い状態とされるから、保管性及び可搬性に優れ、使用時には浮力体が自律的に膨張し且つ自動的に給気して、速やかに所定の救命具の形状となる。したがって、非常時等にも迅速に対応でき、且つ、再利用も可能であるから極めて有益である。
【考案の効果】
【００１４】
本考案の浮力体及び救命具によれば、軽量でコンパクトな状態で保管でき、使用時には自律膨張し速やかに所定の形状となり、繰り返し使用できる。
【図面の簡単な説明】
【００１５】
【図１】本考案に係る浮力体の一例を示す概略的部分破断平面図である。
【図２】同実施形態の浮力体に用いられる発泡体の斜視図である。
【図３】図１のＸ−Ｘ線矢視断面図である。
【図４】同実施形態の浮力体を一端部より巻き込む状態を示す断面図である。
【図５】同実施形態の浮力体を巻装状態に拘束維持する状態の一例を示す概略的外観図である。
【図６】同実施形態の浮力体を巻装状態に拘束維持する状態の他の例を示す概略的外観図である。
【図７】同実施形態の浮力体の適用例であって、本考案に係る救命具の一実施形態を示す概略的外観図である。
【図８】本考案に係る浮力体に用いられる発泡体の他の例を示す斜視図である。
【図９】同発泡体を用いた浮力体の一適用例であって、本考案に係る救命具の他の実施形態を示す概略的外観図である。
【図１０】同発泡体を用いた浮力体の他の適用例であって、本考案に係る救命具のさらに他の実施形態を示す概略的外観図である。
【図１１】（ａ）、（ｂ）は、本考案に係る浮力体に用いられる発泡体の他の例を示す概略的部平面図である。
【考案を実施するための形態】
【００１６】
以下に本考案の実施の形態について、図面を参照して説明する。図１〜図６は、本考案に係る浮力体の一例を示している。本実施形態の浮力体１は、軟弾性のシート状体からなる発泡体２と、該発泡体２を気密的に収納する防水性の外装袋体３とを備えている。発泡体２は、種類を問わず、独立発泡体でも連続発泡体でもよいが、連続発泡体が好適に用いられる。発泡体２としては、ウレタン樹脂発泡体等の高弾性、高反発性の合成樹脂発泡体等が用いられ、例えば、アキレス（株）製アキレスエアロン軟質ウレタンフォームＺＦＡやアキレス（株）製アキレスエアロン軟質ウレタンフォームＺＦＤが望ましく採用される。また、外装袋体３としては、気密防水性を有した高気密防水布等が用いられ、例えば、アキレス（株）製Ｕ−３５０ゴム引布（ナイロン熱可塑性エラストマー布）が望ましく採用される。本実施形態の発泡体２は、表裏に貫通する多数の透孔２１…を有しており、図例の透孔２１…は、平面形状が正菱形状で、発泡体２の平面域に規則的に繰り返すように形成されている。この透孔２１の平面形状は、正菱形状に限らず、円形、長円形（楕円形腹部）他の方形、他の多角形等のその他の形状であっても良い。また、透孔２１の形成方法としては、発泡体２の成型時に成型によって同時に形成する方法、マット状に成型した発泡体を打抜き加工することにより形成する方法、同発泡体２に表裏に貫通する所定形状に線状の切り込みをし、発泡体を一方向に引き延ばして切り込み部を２次元的に拡張することによって形成する方法等が採用される。外装袋体３は、後記する巻装方向ａの終端部１ｂに、内外間の空気の流通を規制する手動スクリュー式の樹脂製開閉部３１を備え、さらに、本実施形態では、この開閉部３１より反巻装方向ａ側の側部に空気補給用の逆止弁付給気部３２が設けられている。なお、図例の発泡体２は表裏に貫通する多数の透孔２１…を備えたものを示しているが、透孔２１…がない一枚のシート状体からなるものとしてもよいし、透孔２１…がないシート状体のものを複数枚重ねて使用してもよい。また開閉部３１として、空気流出防止用及び水浸入防止用に逆止弁を付けても良く、開閉部３１、給気部３２に用いられる逆止弁の構造はガス膨張式救命胴衣や浮き輪等に用いられる汎用のものを採用してもよい。
【００１７】
前記のように構成される浮力体１は、巻装方向ａの始端部（一端部）１ａより終端部（他端部）１ｂに向け巻き込んで、図５及び図６に示すような巻装体１０とされる。この巻装体１０とする要領について図３及び図４をも参照して説明する。先ず、当該浮力体１を作業台等（不図示）上に平置きし、開閉部３１を開とした状態で、発泡体２を外装袋体３とともに始端部１ａより、作業台上に押し付けるようにして圧縮（矢印ｂ参照）させながら終端部１ｂ側に向け巻き込む。この巻装体１０が形成される過程では、発泡体２が外装袋体３とともに圧縮され、外装袋体３内の空気が、開閉部３１より排出される。この圧縮は、発泡体２自体を圧縮しながら、発泡体２の気泡内の空気及び透孔２１…に相当する空間部の空気も排出されるようになされるから、極めて嵩低い巻装体１０が形成される。
【００１８】
このように形成された巻装体１０は、開閉部３１が閉とされた状態で、図５或いは図６に示すような拘束部材としての筒状保管袋４或いはタイベルト５によって巻装状態の拘束維持がなされる。即ち、図５の例では、巻装体１０は、当該巻装体１０の外形寸法とほぼ同寸、すなわち、同寸もしくはひとまわりくらい小さい外形寸法に形成された筒状保管袋４内に挿入される。巻装体１０は、筒状保管袋４内に挿入された状態では、筒状保管袋４が巻装体１０とほぼ同寸に形成されているから、巻装状態に拘束維持される。浮力体１は、巻装体１０として筒状保管袋４に挿入され、閉じ紐４ａで開口部が閉じられた状態で保管・搬送等がなされる。また、図６の例では、巻装体１０は、図例では２本のタイベルト５によって周体が締付けられた状態で前記巻装状態の拘束維持がなされる。浮力体１は、巻装体１０として２本のタイベルト５によって締付けられた状態で保管・搬送等がなされる。
【００１９】
前記のように巻装体１０として拘束維持された状態の浮力体１は、使用時には拘束部材としての筒状保管袋４或いはタイベルト５による拘束維持の解除がなされる。即ち、図５の例では、巻装体１０が筒状保管袋４から取り出され、図６の例ではタイベルト５が取り外される。このように、筒状保管袋４或いはタイベルト５による拘束維持の解除がなされ、開閉部３１が開とされると、発泡体２がその復元弾力により元の形状に復帰し、これによって、前記気泡及び透孔２１…を含む外装袋体３の空間部分も膨張する。この外装袋体３の空間部分の膨張に伴い、前記開閉部３１を通じて、外部より外装袋体３への給気が自動的になされる。これによって、浮力体１の自律膨張がなされ、その後開閉部３１を閉とすることによって、浮力体１が使用状態とされる。この時、外装袋体３内に空気が充分に充満されていないと判断した場合は、給気部３２を通じて人間の口から外装袋体３内に空気が補給される。給気部３２は逆止弁付であるから、この給気部３２から外装袋体３内の空気が排出されることがない。このように使用状態とされた浮力体１は、発泡体２が多くの気泡を含むことに加え、多数の透孔２１…を有しているから、気密的な外装袋体３内には多くの空間部分が含まれ、発泡体自体２が軽量であることとも相俟って、水に浮かせたときには、当該浮力体１は大きな浮力を保有することになる。使用後は、前記要領で巻装体１０を形成し、筒状保管袋４或いはタイベルト５によって巻装状態に拘束維持して保管しておけば、繰返しの再使用が可能とされる。
【００２０】
図７は、前記浮力体１の適用例であって、本実施形態に係る救命具の一例を示している。本実施形態の救命具６は、ライフジャケット形にアレンジされた救命胴衣であって、前開きの左右の前身頃６１，６２及び後身頃６３からなる例を示している。前身頃６１，６２及び後身頃６３は、１気室になるように構成されており、この前身頃６１，６２及び後身頃６３の外装部は前記外装袋体３で覆われている。この外装袋体３には、それぞれの形状に合うよう裁断され、透孔２１…（図１、図２等参照）を有した３枚の発泡体２が気密的に収納されている。前身頃６１，６２のそれぞれの下端部には、前記と同様の開閉部３１，３１が２個設けられ、左側の前身頃６１の胸の位置には、前記と同様の給気部３２が設けられている。救命具６には、差し込みバックル付のベルト７が取付けられており、使用時には、このベルト７がバックル結合されて、体にフィットさせた状態で着用できるように構成されている。
【００２１】
このように構成される救命具６は、ベルト７のバックル結合を解除した状態で、左右に折り畳まれ、２個の開閉部３１，３１を開とした状態で、前記と同様にして上端の始端部（一端部）１ａから下端の終端部（他端部）１ｂに向け圧縮しながら巻き込んで巻装体１０とすることができる（図３参照）。この巻装体を筒状保管袋４に挿入し、或いは、タイベルト５で締付けて（図５及び図６参照）、巻装状態に拘束維持した状態で保管等がなされる。使用時には、前記と同様に、拘束部材としての筒状保管袋４やタイベルト５による拘束を解除すると、それぞれの発泡体２の復元弾力により、自律膨張して図に示すようなライフジャケット形の救命具６とすることができる。各開閉部３１を閉とした上で、外装袋体３内への空気の充満が不充分である場合は、給気部３２より給気する。そして使用者は、この救命具６を着衣し、ベルト７をバックル結合すれば、速やかに避難態勢・救助態勢等に入ることができる。以上によれば、筒状保管袋４から巻装体１０を取り出せば、勝手に膨らんで救命具６となり、すぐに着用できるという単純な構造であるので、老若男女問わず、誰でも容易に着用できる。
【００２２】
このような救命具６は、使用時には前記拘束部材４（５）による拘束を解除するだけで、所定の形状に自律膨張するから、従来のように、浮力体内に人為的に空気や炭酸ガス等の気体を供給して充満させる操作が殆ど不要であり、非常時等において迅速に対応でき極めて有益である。しかも、発泡体２は多くの気泡を含むことに加え、多数の２１…を有しているから、気密的な外装袋体内には多くの空間部分が含まれ、発泡体２自体が軽量であることとも相俟って、大きな浮力が身体に付与される。使用後は、開閉部３１…を開として、前記のように巻装体にしてこの状態に維持するようにすれば、再使用にも供することができる。
【００２３】
なお、前記実施形態においても、図１の例と同様に多数の透孔２１…を有する発泡体２を用いた例について述べたが、透孔２１…を有しないシート状体からなる発泡体を一枚或いは複数枚用いること、さらに、多数の透孔と多数の凸部とが規則的に配列された構造の発泡体、さらには多数の凸部と凹部とがエンボス状に配列された構造の発泡体等を用いることも可能である。
【００２４】
図８は本考案に係る浮力体に用いられる発泡体の他の例を示す。この例の発泡体２は、棒状体からなり、図例の発泡体２は、断面円形の円柱状に形成されているが、断面が長円形や楕円形、さらには略方形の棒状体であっても良い。また、横断面方向の透孔や凹部或いは凸部を有しているものであっても良い。この棒状体からなる発泡体２も、前記例と同様に開閉部３１及び逆止弁付給気部３２を有した外装袋体３に収納されて棒状の浮力体１とされる。このような棒状の浮力体１は、これ自体を水難者につかまらせることによって溺れを防止する簡易な救命具とすることができる。そして、浮力体１の始端部（一端部）１ａから、終端部（他端部）１ｂに向け圧縮しながらａ方向に巻き込むことによって巻装体（不図示）とし、これを図５或いは図６に示すような拘束部材（筒状保管袋４或いはタイベルト５）で拘束することによって巻装状態に維持するように構成することができる。
【００２５】
図９及び図１０は、棒状体からなる発泡体を用いた浮力体の救命具への適用例を示す。両適用例は、いずれも背部から肩部を経て胸部の前面に回して相互に結合する首巻きつけタイプの救命具である。
図９に示す救命具６（浮力体１）を構成する棒状体の発泡体２は、その長手方向の中央部２０を片側から求心方向に緩やかに凹む凹曲部２２を有してやや細径とし、外装袋体３は、この発泡体２の外形状に沿うように形成されている。外装袋体３には前記各例と同様に開閉部３１及び逆止弁付給気部３２が設けられている。この外装袋体３に発泡体２が収納されて浮力体１、即ち、本例の救命具６が構成される。本例の救命具６（浮力体１）も、前記例と同様に浮力体１の始端部１ａから終端部１ｂに向け、圧縮しながらａ方向に巻き込むことによって巻装体（不図示）とし、これを図５或いは図６に示すような拘束部材（筒状保管袋４或いはタイベルト５）で拘束することによって巻装状態に維持するように構成される。この救命具６の使用に際しては、拘束部材４，５による拘束を解除して開閉部３１を開とし、浮力体１を自律的に膨張させ且つ外装袋体３内に自動的に給気させた後、開閉部３１を閉とする。次いで、自律膨張した救命具６を前記凹曲部２２に相当する部分を頭部側にして背部に配し、発泡体２の中央部２０に相当する部分を人体（不図示）の後頸部に宛がい両側部６４，６４を肩部を経て胸部の前面側に回す（矢印ｃ参照）。そして、２対の雌雄差し込みバックル８，９をそれぞれ互いに胸前で結合して人体に対する装着が完了する。
【００２６】
図１０に示す救命具６を（浮力体１）を構成する棒状体の発泡体２は、その長手方向中央部２０の両側から求心方向に凹む左右各一対のくびれ部２３，２４を有し、外装袋体３は、この発泡体２の外形状に沿うように形成されている。外装袋体３には前記各例と同様に開閉部３１及び逆止弁付給気部３２が設けられている。この外装袋体３に発泡体２が収納されて浮力体１、即ち、本例の救命具６が構成される。本例の救命具６（浮力体１）も、前記例と同様に浮力体１の始端部１ａから終端部１ｂに向け、圧縮しながらａ方向に巻き込むことによって巻装体（不図示）とし、これを図５或いは図６に示すような拘束部材（筒状保管袋４或いはタイベルト５）で拘束することによって巻装状態に維持するように構成される。この救命具６の使用に際しては、拘束部材４，５による拘束を解除して開閉部３１を開とし、浮力体１を自律的に膨張させ且つ外装袋体３内に自動的に給気させた後開閉部３１を閉とする。次いで、自律膨張した救命具６を背部に配し、発泡体２の中央部２０に相当する部分を人体（不図示）の後頸部に宛がい両側部６４，６４を肩部を経て胸部の前面側に回す（矢印ｃ参照）。そして、２対の雌雄差し込みバックル８，９をそれぞれ互いに胸前で結合して人体に対する装着が完了する。この例の救命具６の場合、発泡体２がくびれ部２３，２４を有することにより、この部分の屈曲性が増し、両側部６４，６４を胸部の前面側に回す操作が図９に示す例よりし易くなる。
図９及び図１０に示す例においては、雌雄差し込みバックル８，９に代えてベルトとすることはもとより可能である。また上記の説明では、首に巻きつけて使用するタイプの救命具６として説明したが、脇の間に通して胸部に巻きつけるように使用してもよいし、腰部に巻きつけるように使用してもよい。
【００２７】
図１１（ａ）、（ｂ）は、複数のブロック体からなる発泡体を用いた浮力体の適用例を示す。
図１１(ａ)に示す浮力体１を構成する発泡体２は、複数の球体状のブロック体２０，２０・・・とされており、同じサイズのブロック体２０，２０・・・を外装袋体３内に並べるように封入されている。ブロック体２０の形状は、球体状に限定されず、円錐、円柱、多角形の角錐、多角形の角柱など、様々な形状の立体をブロック体として用いることができる。外装袋体３の形状も図例に限定されず、図１の他、図７〜図１０等に示すような各種救命具６に適用することができる。外装袋体３には前記各例と同様に不図示であるが開閉部（３１）及び逆止弁付給気部（３２）が設けられている。また本例の浮力体１も、前記例と同様に浮力体１の始端部（１ａ）から終端部（１ｂ）に向け、圧縮しながら（ａ方向に）巻き込むことによって巻装体（不図示）とし、これを図５或いは図６に示すような拘束部材（筒状保管袋４或いはタイベルト５）で拘束することによって巻装状態に維持するように構成される。そして、この浮力体１の使用に際しては、拘束部材（４，５）による拘束を解除して開閉部（３１）を開とすれば、浮力体１の自律膨張がなされ、その後開閉部３１を閉とすることによって、浮力体１が使用状態とされる。
【００２８】
図１１（ｂ）に示す浮力体１を構成する発泡体２は、複数の球体状のブロック体２０，２０・・・とされており、この例はブロック体２０，２０・・・のサイズが大小異なり、ランダムに外装袋体３内に封入されている点で図１１（ａ）の例と異なるものである。その他の構成は図１１（ａ）の場合と同様であるので、説明を省略する。発泡体２は、このようにサイズが異なる球体状のものを複数用いてもよい。この他、ブロック体２０，２０はサイズが異なるだけでなく、形状も円錐、円柱、多角形の角錐、多角形の角柱など、様々な形状のものを用いてもよい。
【００２９】
なお、浮力体及び救命胴衣の気室数は、１気室に限定されず、２気室、３気室等としてもよい。気室が複数に分割されていれば、自立膨張時の立ち上がりを速くすることができ、また、例えばある気室に穴が開くなどして当該気室が密封状態でなくなっても、他の気室でカバーできるメリットがある。しかし、あまり気室数が多くなると構造が複雑になる。さらに浮力体及び救命具に設ける開閉部の位置も図例に限定されず、救命具のそれぞれのタイプに応じて、装着時の作業し易い位置が設定される。その他、ベルト７、開閉部３１、給気部３２、差し込みバックル８，９の形状、数、形成位置等も図例に限定されるものではない。加えて、拘束部材として、例示したような保管袋４やタイベルト５以外に、減圧パック（真空パック）や圧縮袋、収納容器とすることも可能である。
加えて本考案に係る浮力体の適用例として、浮き輪、ブイ、ゴムボート、水上避難テント（水上避難シェルター）、救助用ロープ付投擲ブイ、避難用床マットとしても使用できる水難救助用浮力体マット、プールや海等で用いられる各種インフレーティンググッズ等も挙げられる。
【符号の説明】
【００３０】
１                      浮力体
１ａ                    始端部（一端部）
１０                    巻装体
２                      発泡体
２１                    透孔
３                      外装袋体
３１                    開閉部
３２                    給気部
４                      筒状保管袋（拘束部材）
５                      タイベルト（拘束部材）
６                      救命具
【図１】
0003201727.tif 000003
【図２】
0003201727.tif 000004
【図３】
0003201727.tif 000005
【図４】
0003201727.tif 000006
【図５】
0003201727.tif 000007
【図６】
0003201727.tif 000008
【図７】
0003201727.tif 000009
【図８】
0003201727.tif 000010
【図９】
0003201727.tif 000011
【図１０】
0003201727.tif 000012
【図１１】
0003201727.tif 000013